(57)【要約】      （修正有）【課題】ネジの締め付けにより基板を固定する電子機器において、雄ネジの締め付けに緩みが生じること防止し、雄ネジを締め付けるためのネジ山が破損した場合でも、低コストで容易に修復することができる電子機器を提供する。【解決手段】電子回路と、箱形を成し内部に前記電子回路を備える筐体２と、筐体２の内壁に固着し、略中央に開口する孔２０２と、孔２０２と直交する方向に貫通するスリット２０３を備える円筒部２０１と、凹部５０１が形成され円筒部２０１に着脱する着脱部材５と、円筒部２０１の上面に当接し貫通する孔３０１を備える基板３とを備え、着脱部材５は、凹部５０１が形成される面に弾性部５０２を備える。【選択図】      図４
2004349362.tif 000002
【特許請求の範囲】
【請求項１】
電子回路と、箱形を成し内部に前記電子回路を備える筐体と、前記筐体の内壁に固着し、略中央に開口する孔と当該孔と直交する方向に貫通するスリットを備える円筒部と、凹部が形成され前記円筒部に着脱する着脱部材と、前記円筒部の上面に当接し貫通する孔を備える基板とを備え、
前記着脱部材は、前記凹部が形成される面に弾性部を備えることを特徴とする電子機器。
【請求項２】
請求項１記載の電子機器において、
前記弾性部は、弾性体から成り前記凹部の上方に下端が前記着脱部材の上部と固着し上部及び下部にそれぞれ傾斜部を有する凸部を備えることを特徴とする電子機器。
【発明の詳細な説明】
【０００１】
【発明の属する技術分野】
本発明は、オーディオ信号を増幅するオーディオ信号増幅装置または光ディスクに記録されたオーディオデータを再生する再生装置等の電子機器に関する。
【０００２】
【従来の技術】
従来の電子機器として、オーディオ信号増幅装置を例に挙げ説明する。
図５は、従来のオーディオ信号増幅装置の一例を示す斜視図である。
オーディオ信号増幅装置１００は、筐体２、基板３、雄ネジ４、増幅部８、図示しない入力部、ボリュウム部及び出力部を備える。
【０００３】
筐体２は、箱形を成し、底面に上方へ突出するボス２０が溶接または接着剤により固着されている。ボス２０は、円筒形を成し、略中央に貫通する孔２１を備える。雄ネジ４は、タッピンねじ（ｓｅｌｆ  ｔａｐｐｉｎｇ  ｓｃｒｅｗ）から成り、孔２１に先端を当接し回転させることによって、当該孔の内壁にネジ山を形成し、基板３をボス２０に固定する（例えば、特許文献１参照。）。
【０００４】
増幅部８は、基板３に固定されている。基板３は、薄い板状の部材であり、左右の端部にそれぞれ上下方向に貫通する孔３０１を備える。
オーディオ信号増幅装置１００は、図示しない導電ワイヤーにより再生装置及びスピーカと接続されている。
【０００５】
再生装置は、光ディスクに記録されている例えばオーディオデータを再生し、オーディオ信号を出力する。入力部は、再生装置から出力されたオーディオ信号を増幅部８へ出力する。
【０００６】
増幅部８は、入力部から出力されたオーディオ信号を増幅し、ボリュウム部へ出力する。ボリュウム部は、操作により、増幅部８から出力されたオーディオ信号の信号レベルを増減させ出力部へ出力する。出力部は、ボリュウム部から出力されたオーディオ信号をスピーカへ出力する。
【０００７】
以上により、オーディオ信号増幅装置１００は、再生装置から出力されたオーディオ信号を増幅し、スピーカへ出力する。
【０００８】
図６は、雄ネジ４により基板３をボス２０に固定する状態を示す図で、図６（ａ）は基板３をボス２０に当接した状態を示す断面図で、図６（ｂ）は雄ネジ４により基板３をボス２０に固定した状態を示す断面図である。
【０００９】
基板３をボス２０に固定する場合は、先ず、図６（ａ）に示すように、基板３の孔３０１とボス２０の孔２１が同じ位置となるように基板３をボス２０１の上面に当接させ、次に、図６（ｂ）に示すように、雄ネジ４の下端を孔３０１と孔２１に挿入し、雄ネジ４を回転させる。雄ネジ４の回転力により、孔２１の内壁にはネジ山が形成されながら雄ネジ４が締め付けられる。その結果、基板３は、ボス２０の上面と雄ネジ４のネジ頭部に狭持され、ボス２０を介して筐体２に固定される。
【００１０】
【特許文献１】
特開平４−２３６８０８号公報
【００１１】
【発明が解決しようとする課題】
従来のオーディオ信号増幅装置１００は、基板３に備える増幅部８が故障した場合、修理または交換をするために基板３を筐体２から取り外することがある。基板３を取り外すには、図６（ｂ）に示すように、雄ネジ４の締め付けを緩めて孔２１から取り外す。基板３は、ボス２０から取り外され、増幅部８の修理や、他の部品に交換をすることができる。修理または交換が完了した後は、再度、図５に示すように雄ネジ４をボス２０に締め付けることによって基板３を筐体２に固定する。
【００１２】
しかしながら、従来のオーディオ信号増幅装置１００は、基板３の取り外し、取り付けのために、雄ネジ４を何度も締め付けたり緩めたりすると、孔２１に形成されたネジ山が破損することがある。このネジ山が破損すると、雄ネジ４の締め付けをしても雄ネジ４が孔２１の内壁で空回りしてしまい、基板３を筐体２に固定することができなくなる。この状態となると、基板３を筐体２に固定するためには、溶接または接着材によって筐体２に固着されたボス２０を筐体２から離脱させて新たなボスに交換したり、筐体２を新たな筐体に交換しないと基板３を固定することができなくなってしまう。溶接または接着材によって固着されたボス２０を離脱させて新たなボスを溶接または接着剤により筐体２へ固着させるには、筐体２に固着したボス２０を離脱させる作業と新たなボスを固着させる作業が必要となり、その作業に高いコストを要してしまう。また、筐体２を交換する場合も高いコストを要してしまう。
【００１３】
また、雄ネジ４を締め付けた状態のまま長時間が経過すると、ボス２０の塑性変形や外部からの振動によって、次第に雄ネジ４の締め付けに緩みが生じることがある。雄ネジ４の締め付けに緩みが生じると、雄ネジ４が孔２１から脱落して筐体２の内部の電子回路に当接し、電子回路をショートさせたり、増幅部８がボス２０から脱落して筐体２の内壁に衝突し、破損する虞がある。雄ネジによる締め付けの緩みを防止するために、雄ネジとネジ山を形成する孔との間にバネを有する座金を取り付け、当該座金の弾性力により常に雄ネジの締め付けを維持することによって、雄ネジの締め付けに緩みが生じることを防止することが知られている。しかし、前述したような、バネを有する座金をそれぞれの雄ネジに取り付けると、高いコストを要してしまう。
【００１４】
本発明は、ネジの締め付けにより基板を固定する電子機器において、雄ネジの締め付けに緩みが生じることを防止し、雄ネジを締め付けるためのネジ山が破損した場合でも、低コストで容易に修復することができる電子機器を提供することを目的とする。
【００１５】
【課題を解決するための手段】
本願の請求項１記載の発明は、電子機器において、電子回路と、箱形を成し内部に前記電子回路を備える筐体と、前記筐体の内壁に固着し、略中央に開口する孔と当該孔と直交する方向に貫通するスリットを備える円筒部と、凹部が形成され前記円筒部に着脱する着脱部材と、前記円筒部の上面に当接し貫通する孔を備える基板とを備え、前記着脱部材は、前記凹部が形成される面に弾性部を備えることを特徴とする。
【００１６】
本願の請求項２記載の発明は、請求項１記載の電子機器において、前記弾性部は、弾性体から成り前記凹部の上方に下端が前記着脱部材の上部と固着し上部及び下部にそれぞれ傾斜部を有する凸部を備えることを特徴とする。
【００１７】
【発明の実施の形態】
本発明の実施の形態を図面を参照して説明する。なお、従来技術で示した構成要素と同一の部分については同符号を用いる。
【００１８】
本発明の電子機器として、オーディオ信号増幅装置を例に挙げ説明する。
図１は、本発明の電子機器の一実施例のオーディオ信号増幅装置の構成を示すブロック図である。
オーディオ信号増幅装置１は、入力部７、増幅部８、ボリュウム部９及び出力部１０を備える。オーディオ信号増幅装置１は、図示しない導電ワイヤーにより再生装置１１及びスピーカ１２と接続されている。
【００１９】
再生装置１１は、光ディスクに記録されているオーディオデータを再生し、オーディオ信号を出力する。入力部７は、再生装置１１から出力されたオーディオ信号を増幅部８へ出力する。
【００２０】
増幅部８は、入力部７から出力されたオーディオ信号を増幅し、ボリュウム部９へ出力する。ボリュウム部９は、操作により、増幅部８から出力されたオーディオ信号の信号レベルを増減させ出力部へ出力する。出力部１０は、ボリュウム部９から出力されたオーディオ信号をスピーカ１２へ出力する。
【００２１】
以上により、オーディオ信号増幅装置１は、再生装置１１から出力されたオーディオ信号を増幅し、スピーカ１２へ出力する。
【００２２】
図２は、本発明の一実施例のオーディオ信号増幅装置１の構成を示す斜視図である。
オーディオ信号増幅装置１は、筐体２、基板３、雄ネジ４及び着脱部材５を備える。筐体２は、箱形を成し、底面に上方へ突出するボス２０１が溶接または接着剤により固着されている。増幅部８は、基板３に固定されている。基板３は、薄い板状の部材であり、左右の端部にそれぞれ上下に貫通する孔３０１を備える。
【００２３】
図３は、ボス２０１と着脱部材５の構成を示す図で、図３（ａ）は、ボス２０１及び着脱部材５の上面図、図３（ｂ）はボス２０１の断面図及び着脱部材５の側面図である。
【００２４】
ボス２０１は、円筒型を成し、略中央に貫通する孔２０２と、左右方向及び下方に貫通するスリット２０３を備える。雄ネジ４は、タッピンねじから成り、孔２０２に先端を当接し回転させることによって、当該孔の内壁にネジ山を形成する。
【００２５】
着脱部材５は、薄い板状の部材であり、上部の略中央に凹部５０１を備える。凹部５０１の上方の左右位置には、下端が着脱部材５の上部と固着し、上部及び下部にそれぞれ第１の傾斜面５０３及び第２の傾斜面５０４を有する凸部５０２を備える。スリット２０３の幅は、着脱部材５の幅より大きい。凹部５０１の幅は、孔２０２の内径より小さい。
【００２６】
図４は、雄ネジ４により基板３をボス２０１に固定する状態を示す図で、図４（ａ）はスリット２０３に着脱部材５を挿入した状態を示す模式図、図４（ｂ）は図４（ａ）の状態から雄ネジ４により基板３をボス２０１に固定した状態を示す模式図である。
【００２７】
基板３をボス２０１に固定する場合は、先ず、図４（ａ）に示すように、スリット２０３に着脱部材５を筐体２の下方向から挿入する。次に、図４（ｂ）に示すように、基板３をボス２０１の上面に当接させ、雄ネジ４を孔３０１とボス２０１に挿入し、軸方向に回転させる。雄ネジ４の回転力により、孔２０２と凹部５０１の内壁にはネジ山が形成されながら雄ネジ４が締め付けられる。このとき、着脱部材５は、雄ネジ４による締め付けにより矢印Ａ方向へ移動する。凸部５０２は、雄ネジ４による締め付け力により、上端がスリット２０３の上面に当接した後、着脱部材５の上部と固着した下端部分を軸に矢印Ｂ方向へ弾性変形する。
【００２８】
これにより、基板３は、凸部５０２が弾性変形した状態で、ボス２０１の上面と雄ネジ４のネジ頭部に狭持され、ボス２０１に固定される。
【００２９】
増幅部８が固定された基板３をボス２０１から取り外す際には、雄ネジ４の締め付けを行った方向と逆方向に回転させ、雄ネジ４の締め付けを緩め、取り外すことによって筐体２から基板３を取り外すことができる。
【００３０】
基板３の取り外しや取り付けのために雄ネジ４を何度も締め付けたり緩めたりしたことによって孔２０２及び凹部５０１の内壁に形成されたネジ山が破損してしまった場合は、スリット２０３から着脱部材５を取り外し、新たな着脱部材と交換した後、雄ネジ４の締め付けを行う。すると、新たに交換した着脱部材の凹部５０１にネジ山が形成されるので、雄ネジ４を空回りさせずに締め付けることができる。よって、基板３をボス２０１に固定させることができる。
【００３１】
また、基板３をボス２０１に固定している間、弾性変形した凸部５０２が復元しようとする力により、着脱部材５を矢印Ｂ方向へ移動させようとする力が生じる。よって、ボス２０１の塑性変形や外部からの振動による雄ネジ４の締め付けの緩みを防止することができる。
【００３２】
着脱部材５は、簡易な形状であるため、筐体２よりも低コストで生産することができる。よって、雄ネジ４を締め付けるためのボス２０１のネジ山が破損されてしまっても、着脱部材５を交換することにより、筐体２に固着したボスを離脱させて新たなボスを固着させる作業のコストや、筐体２を交換するコストと比較して低コストで基板３を固定させることができる。
【００３３】
本実施例のオーディオ信号増幅装置１は、着脱部材５の上面に凸部５０２を備える構成としたが、着脱部材５とスリット２０３の上面との間に圧縮ばねやゴム材等の弾性体を介在させる構成としても良い。
【００３４】
【発明の効果】
本発明によれば、ネジの締め付けにより基板を固定する電子機器において、雄ネジの締め付けに緩みが生じること防止し、雄ネジを締め付けるためのネジ山が破損した場合でも、低コストで容易に修復することができる電子機器を提供することができる。
【図面の簡単な説明】
【図１】本発明の電子機器の一実施例のオーディオ信号増幅装置の構成を示すブロック図。
【図２】本発明の一実施例のオーディオ信号増幅装置１の構成を示す斜視図。
【図３】ボス２０１と着脱部材５の構成を示す図で、図３（ａ）は、ボス２０１及び着脱部材５の上面図、図３（ｂ）はボス２０１の断面図及び着脱部材５の側面図。
【図４】雄ネジ４により基板３をボス２０１に固定する状態を示す図で、図４（ａ）はスリット２０３に着脱部材５を挿入した状態を示す模式図、図４（ｂ）は図４（ａ）の状態から雄ネジ４により基板３をボス２０１に固定した状態を示す模式図。
【図５】従来のオーディオ信号増幅装置の一例を示す斜視図。
【図６】雄ネジ４により基板３をボス２０に固定する状態を示す図で、図６（ａ）は基板３をボス２０に当接した状態を示す断面図で、図６（ｂ）は雄ネジ４により基板３をボス２０に固定した状態を示す断面図。
【符号の説明】
１  オーディオ信号増幅装置、
２  筐体、２０１  ボス、２０２  孔、２０３  スリット、３  基板、３０１  孔、
４  雄ネジ、５  着脱部材、５０１  凹部、５０２  凸部、
５０３  第１の傾斜面、５０４  第２の傾斜面、
１００  オーディオ信号増幅装置、２０  ボス、２１  孔
【図１】
2004349362.tif 000003
【図２】
2004349362.tif 000004
【図３】
2004349362.tif 000005
【図４】
2004349362.tif 000006
【図５】
2004349362.tif 000007
【図６】
2004349362.tif 000008